(57)【要約】  本発明のクランプ装置は、２つの管（２０，２２）を気密に互いに接続し、管の対向する端部が管の円筒状の外面に対して突出した支持面（１６，１８）を有する。この装置は、カラー（１０）とワッシャー（２８）とを含む。カラーは、後退する内側縁部を介して支持面と協働するに適したバンド（１２）と、このバンドを締めるための手段（２６）とを含む。ワッシャーは、取り付け手段（３２，３４，３６）によりカラー（１０）に固定されている。
2005511991.tif 000002
【特許請求の範囲】
【請求項１】
２つの管（２０，２２）を気密に互いに接続するクランプ装置であって、
前記管の対向する端部が、前記管の円筒状の外面に対して突出した支持面（１６，１８）を有し、
カラー（１０）およびワッシャー（２８；１２８）を含み、
前記カラーが、後退する内側縁部を介して前記支持面と協働するに適したバンドと、前記バンド（１２）を締めるための手段（１２Ａ，１２Ｂ，２４，２６）とを含み、
前記ワッシャー（２８；１２８）が、前記バンド（１２）が締められたときに変形するに適した取り付け手段（３２，３４，３６；１３６）により前記カラー（１０）に固定されていることを特徴とし、かつ
前記取り付け手段が、前記ワッシャー（２８；１２８）に固定または一体化され、前記カラー（１０）の前記バンド（１２）と協働するに適した自由端を有するタブ（３２，３４，３６；１３６）を含むことを特徴とするクランプ装置。
【請求項２】
前記取り付けタブが、前記カラー（１０）の前記バンド（１２）が非締め付け状態にあるときに前記バンド（１２）の内側縁部と協働する内部タブ（３２）と、前記カラー（１０）の前記バンド（１２）が非締め付け状態にあるときに前記バンド（１２）の端部（１３’Ａ）または外側縁部と協働する外部タブ（３４，３６，１３６）とを含むことを特徴とする請求項１に記載のクランプ装置。
【請求項３】
前記カラー（１０）の前記バンド（１２）が非締め付け状態にあるときに前記カラー（１０）を前記管（２０，２２）の一つに固定する作用を奏する先行取り付け手段をさらに含むことを特徴とする請求項１または２に記載のクランプ装置。
【請求項４】
前記先行取り付け手段が、ワッシャー（２８，１２８）に固定または一体化されたことを特徴とする請求項３に記載のクランプ装置。
【請求項５】
前記先行取り付け手段が前記２つの管（２０，２２）のうちの最初の一つに接続するに適した先行取り付けタブ（３６）を含むことを特徴とする請求項４に記載のクランプ装置。
【請求項６】
少なくとも一つの先行取り付けタブ（３６）が、前記タブから切り起こされ、前記最初の管（２０）の外側縁部と協働するに適した自由端部を有する舌部（３８）を有することを特徴とする請求項５に記載のクランプ装置。
【請求項７】
少なくとも一つの先行取り付けタブ（３６）が、前記最初の管（２０）の外側縁部（１６）と協働するに適した少なくとも一つの傾斜端部（３６Ｂ）を有することを特徴とする請求項５または６に記載のクランプ装置。
【請求項８】
前記先行取り付けタブ（３６）が、それぞれ、前記カラーが非締め付け状態にあるときに前記カラー（１０）の前記バンド（１２）の外側縁部に折り返された自由端（３６Ａ）を有することを特徴とする請求項５から７のいずれか１項に記載のクランプ装置。
【請求項９】
前記先行取り付け手段が、前記ワッシャー（２８，１２８）の軸部（１３５）に形成され、２つの管（２０，２２）の最初の一つの内側縁部を締め付けるに適した把持面（１３８）を含むことを特徴とする請求項１から８のいずれか１項に記載のクランプ装置。
【請求項１０】
前記ワッシャー（２８，１２８）の前記軸部（１３５）が外側に突出するように変形し、その半径を局部的に増し、前記把持面を形成していることを特徴とする請求項９に記載のクランプ装置。
【請求項１１】
前記ワッシャー（２８，１２８）の前記軸部（１３５）が波形（１３８）であることを特徴とする請求項１０に記載のクランプ装置。
【請求項１２】
前記ワッシャー（２８，１２８）の少なくとも一部が、実質的に円錐台形状であることを特徴とする請求項１から１１のいずれか１項に記載のクランプ装置。
【請求項１３】
ワッシャー（２８，１２８）の表面が、シーリングリングを形成する少なくとも一つの環状ビード（４０，４２）を有することを特徴とする請求項１から１２のいずれか１項に記載のクランプ装置。
【発明の詳細な説明】
【技術分野】
【０００１】
本発明は、２つの管を気密に接続するためのクランプ装置であって、管の対向する端部が、上記管の円筒状の外側表面に対して突出した支持面を有し、カラーと、管の少なくとも一つとの協働に適したワッシャーとを含み、カラーが、後退する内側縁部を介して上記支持面と協働するに適したバンドと、上記バンドを締めるための手段とを有するクランプ装置に関する。
【背景技術】
【０００２】
この種のクランプ装置は、米国特許３９６４７７３号により知られている。カラーのバンドの断面は、例えば実質的にＶ字型またはＵ字型であり、断面形状により形成されたフランジ部が、それぞれの管の端部の支持面を支えている。このため、カラーを締めると一方の管が他方に対して保持される。カラーを締めると管の一体化が促されるという限りにおいて、Ｖ字型断面は有利である。
【０００３】
例えば、バンドを締めるための手段は、ナット−ボルト機構を含む。このため、バンドの端部は、ボルトを挿入できるホールを備えた支持タブを形成するように外側に曲がっていてもよい。ナットは、タブの一方の後方に配置され、その螺旋をまわすことによってカラーが締められる。
【０００４】
米国特許３９６４７７３号は、２つの管の端部の間にシーリングワッシャーを使用することを推奨している。このワッシャーは、一方の管の外に広がった端部にかみ合う円錐形のワッシャーであり、これに対して当該外に広がった端部の形状に実質的に相補的である形状を有する他方の管の端部が押しつけられる。
【０００５】
米国特許３９６４７７３号のクランプ装置のワッシャーは、この文献に示されている例では、シーリングを提供する役割を担い、クランプカラーとは完全に分離された部品であり、それ故、別個に取り扱う必要がある。その結果、オペレーターは複数の部品を扱ってそれぞれを管に対して正しく位置決めしなければならないため、クランプ機構全体の取り付けは比較的複雑となる。
【０００６】
即ち、米国特許３９６４７７３号では、まず、ワッシャーを第１の管の端部に対して正しく配置し、このワッシャーに対して第２の管の端部を正しく配置し、さらに、２つの管とワッシャーとにより構成されたアセンブリを一体として保持し、その後、カラーをアセンブリーの適所に配置して締め付けなければならない。
【発明の開示】
【発明が解決しようとする課題】
【０００７】
本発明の目的は、カラーおよびワッシャーを含み、取り扱いやすく、簡単に管の適所に配置できるクランプ装置を提案することにより、技術の現状を改善することにある。
【課題を解決するための手段】
【０００８】
この目的は、ワッシャーを取り付け手段によりカラーに固定することによって達成される。
【０００９】
このクランプ機構はクランプカラーを含み、ワッシャーは取り扱いおよび管の適所への配置が格段に容易となるように作製されている。これにより、クランプ装置を用いて２つの管をつなぐオペレーターの作業が単純化され、また、取り付けミスをなくすか、少なくとも減らすことが可能となる。
【００１０】
好ましくは、取り付け手段は、バンドが締められたときに変形するに適した取り付け部材を含む。
【００１１】
この取り付け手段は、カラーの締め付けを阻害することなくワッシャーをカラーに固定することを可能とする。
【００１２】
好ましい形態において、取り付け手段は、ワッシャーに固定または一体化された、カラーのバンドとの協働に適した自由端を有するタブを含む。
【００１３】
このタブは簡単に形成できる取り付け手段であり、その端部をカラーのバンドにひっかけてもよい。上記のように、タブは好ましくは変形可能であり、この変形により、例えば、締め付けの効果によりその自由端の形状が変わり、自由端がカラーから離れる。
【００１４】
本発明のクランプ装置は、カラーのバンドが非締め付け状態にあるときにカラーを管の一方に固定する作用を奏する先行取り付け手段をさらに含むことが好ましい。
【００１５】
この有利な例は、クランプ装置の管への取り付けをさらに容易にする。より正確には、クランプ装置を用いた管の結合には、先行取り付け手段を用いてクランプ装置を管の一方の所定位置に配置し、他方の管を近づけ、カラーのバンドを締めることが必要とされるだけとなる。
【００１６】
先行取り付け手段は、ワッシャーに固定または一体化されていることが好ましい。
【００１７】
カラーは、管に大きな応力を印加可能でなければならないクランプ部品を構成する。詳細には、高温に耐えるためには、カラーは、金属、例えば、好ましくはチタンで安定化させた、フェライトまたはオーステナイト系ステンレス鋼で作製される。ワッシャーは、通常、ある程度変形可能な部分を構成し、カラーの厚みよりも十分に小さい厚みを有する。締め付け後、管の端部に大きな応力を印加するのはワッシャーの機能ではない。ワッシャーは、例えば、フェライトまたはオーステナイト系ステンレス鋼のような金属で作製される。例えば、カラーのバンドおよびワッシャーはそれぞれ1.5ミリメーター（mm）および0.4mmの厚みを有する。
【００１８】
ワッシャーは、特に製造に要する原料の量について、カラーよりもコストを要しない部品を構成する。従って、先行取り付け手段をワッシャーに固定するように設計すると、必要に応じてワッシャーと一体に形成したとしても、先行取り付け手段をカラーに直接固定または一体とするよりも、安価となる。
【００１９】
加えて、ワッシャーに固定または一体化した先行取り付け手段により、２つの取り付け方法を選択できる。
【００２０】
第１は、クランプ装置を一体として取り扱うべくワッシャーをカラーに取り付け、先行取り付け手段を用いてそのクランプ装置を一方の管の端部に接続し、その後に他方の管を近づけてカラーを締める方法である。
【００２１】
第２は、先行取り付け手段を用いてワッシャーを一方の管の端部の所定位置に配置し、その後にワッシャーをカラーに固定することによりカラーをワッシャーに接続し、最後に他方の管を近づけてカラーを締め付ける方法である。
【００２２】
これら可能な方法のいずれにおいても、ワッシャーがカラーに固定され、かつ先行取り付け手段も備えているために、有利に使用できる。
【００２３】
従って、先行取り付け手段は、２つの管の最初の一つにくっつけるに適した先行取り付けタブを含むことが好ましい。
【００２４】
先行取り付けタブは、ワッシャーに一体化して形成すると有利であり、簡単に形成できる素子を構成する。後述するように、先行取り付けタブは、第１の管の外側縁部と協働すると有利である。
【００２５】
代替的で補足的な構成では、先行取り付け手段は、ワッシャーの軸部に形成され、２つの管の最初の一つの内側縁部を把持するに適したグリップ面を含む。
【００２６】
このグリップ面によりワッシャーの軸部を管の一方に挿入することが可能となり、これによってワッシャーが引き離されないように管に対してワッシャーが保持される。
【００２７】
ワッシャーの少なくとも一部は実質的に円錐台形状であることが好ましい。
【００２８】
円錐台形状は、管の端部の形状に合致するために有利である。
【００２９】
ワッシャーは、シーリング機能を有することが好ましい。米国特許３９６４７７３号のように、例えば、この機能は、断面が一定であるワッシャー、および管の端部の幾何学形状に適合する幾何学形状、特に上記の円錐台幾何学形状を有するワッシャーにより実現できる。しかし、ワッシャーの表面は、シーリングリングを形成する少なくとも一つの環状のビードを有することが好ましい。
【００３０】
この環状のビードは、管が結合されたときに軸に沿ってある程度平坦化可能とすることによってシーリングガスケットのように作用し、通常の製造許容誤差による管の端部における形状のいかなる幾何学的欠陥を補う。
【００３１】
このように、ワッシャーは、カラーに固定するための手段と、場合によっては、管の一方への先行取り付け手段と、シーリングガスケットを形成する部分とを含むことにより、一体として形成できる。
【００３２】
形状によっては、ワッシャーは、単に、取り付けに先立ってカラーを管に対して予め配置しうる役割を果たすだけであってもよい。ワッシャーが先行取り付け手段を有するときには、ワッシャーは管の一方に対して定められた位置に固定され、このワッシャーがカラーに取り付けられている限り、クランプ装置全体が管に対して正しく位置決めされる。
【発明を実施するための最良の形態】
【００３３】
以下の例として示される実施形態の詳細な説明により、本発明をよく理解でき、その効果はより明確になるであろう。説明では、以下の添付図面を参照する：
図１は、本発明のクランプ装置の正面図であり；
図２は、図１の側面図であり、クランプ装置により接続される管の端部も示されており；
図３は、本発明のクランプ装置に属するワッシャーの正面図であり；
図４は、図３の側面図であり；
図５は、図４の方向Ｖから見た、ワッシャーの斜視図であり；
図６および図７は、図３の径ＶＩおよび径ＶＩＩで切り取った、管の一方の端部に装着されたクランプ装置の軸に沿った部分断面図であり；
図８は、接続された２つの管の端部を締め付けるクランプ装置の軸方向断面図であり；
図９は、本発明の別の例におけるクランプ装置のワッシャーの斜視図である。
【００３４】
クランプ装置は、特許出願ＥＰ０３０５２３２号の記述と実質的に同じタイプのカラー１０を含む。このカラーは、図２および図６〜８により明確に示されているバンド１２を有し、このバンドは後退部１４の輪郭を定める内側縁部を有し、この後退部１４には、２つの管２０，２２の端部に属する支持面１６，１８が挿入されうる。後退部および支持面は、カラーのバンドの締め付けにより管の端部が寄り合うように動く形状を有する。バンドは好ましくは断面Ｖ字型であり、一方、支持面それぞれの径は管の自由端に進むにつれて徐々に増加し、支持面の形状は例えば円錐台となる。
【００３５】
バンド１２は、端部１２Ａ，１２Ｂを有し、この端部は実質的に放射状に外側に曲げられて支持タブを形成する。支持タブには、ボルト２４の軸２４Ａがタブを貫通できるように穴が設けられている。ボルトの頭部２４Ｂは、支持タブの一つ（この例ではタブ１２Ｂ）に押し込まれ、ボルトの自由端はナット２６と協働する。ナットを締め付け方向に回すと、支持タブ１２Ａ，１２Ｂが互いに寄り合い、バンドの締め付けが可能となる。支持タブは、折り返しリップ１２’のような適切な変形により強化されているとよい。
【００３６】
このクランプ装置は、カラー１０に固定されたワッシャー２８をさらに含む。ワッシャー２８は、形状が円錐台である部分３０を有し、図８に示すように、クランプ装置を用いて２つの管２０，２２を締め付けたときにこれらの対向する端部の間に挿入することができる。
【００３７】
管２０の端部は雌端であり、その内側縁部は外側に広がっている。管２２の端部は雄端であり、支持面１８を越え、自由端に進むにつれて径が減少する外側縁部２３を有する。自由端２３は、形状が実質的に相補的であるため、管２０の自由端に形成されたフレア部１７の内部に挿入できる。図８に示されているように、ワッシャー２８の円錐台部３０はフレア部１７と端部２３との間に配置される。
【００３８】
クランプ装置が管に装着されると、カラーのＶ字型断面の分岐１３Ａが管２０の支持面１６と協働する。ワッシャー２８は分岐１３Ａの内側に配置される。
【００３９】
明確化のため、図２に示した状態では、カラーの分岐１３Ａに対応する部分はその全体を省略している。カラーが非締め付け状態にあるときには、ワッシャーはカラーに固定されており、このワッシャーは、実質的に、カラーの内側をカラーの断面における分岐１３Ａ，１３Ｂの結合点、即ち分岐により形成されるＶ字の頂点へと伸びている。
【００４０】
カラーに対してワッシャーを取り付けるための手段は、ワッシャーに接続され、その自由端がカラーのバンドとの協働に適している取り付けタブを含む。実際には、このタブは、ワッシャーと一体に形成される。
【００４１】
示した好ましい例では、取り付けタブは種々のタブを含む。即ち、タブには、カラーのバンドが非締め付け状態にあるときにバンドの内側縁部と協働する内部タブ３２、カラーのバンドが非締め付け状態にあるときにバンドの端部またはその外側縁部と協働する外部タブが含まれる。
【００４２】
内部タブ３２は、外部タブよりも短く、特に図５および図６に見られるように、やや放射状に起こされ、その自由端がカラーの断面図の分岐１３Ａの内側を支持している。通常、内部タブは、外部タブよりもカラーの軸Ａから大きく逸れている（例えば、カラーの軸Ａに対して約１０°の角度を形成する）。
【００４３】
示した好ましい例では、外部タブには２つの異なったタイプがある。図６に示されているように、ある外部タブ３４は、内部タブ３２よりも長く、軸Ａに実質的に平行に伸びている点で内部タブと相違し、外部タブ３４はカラーのバンドの一端部１３’Ａと協働している。当然、示した例では、上記端部は分岐の端部１３Ａである。タブ３４の外側面は上記端部にもたれかかっているだけである。ただし、自由端３４Ａはやや引き起こしてもよい。外部タブ３４がワッシャーの周囲にわたって配置されている限り、ワッシャーはカラーのバンドに対して中央に置かれる。タブ３２は、バンドの分岐１３Ｂから遠ざかる方向Ｆにワッシャーがカラーから離れることを防止する。
【００４４】
外部タブは、カラーの外側縁部と協働するタブ３６をさらに含む。この例では、タブ３６が協働するのは分岐１３Ａの外側縁部である。タブ３６は、フック状で、上記部分１３Ａの外側縁部と協働することによりカラーのバンドの端部１３’Ａにひっかかる自由端３６Ａを有する。タブ３６の中央部は、タブ３４のように、軸Ａと実質的に平行に伸びるが、その端部３６Ａは折り返されている。こうして、タブ３６は、カラーのバンドの分岐１３Ｂへ向かう方向Ｇへと、ワッシャーがカラーに対して軸に沿って動くことを防止している。
【００４５】
カラーが締められる前の状態を示す図７を、締め付け後の状態を示す図８と比較すればわかるように、タブ３６のフック状端部３６Ａは、締め付けの間、ワッシャー２８がカラーの断面の分岐１３Ａの内側表面へと移動できるように「巻き付かず」「折り込まれない」。同時に、タブ３２，３４、およびタブ３６の中央部は変形し、これらの外側端部が軸Ａに向かう。即ち、これらは最終的には支持面１６に実質的に平行に配置される。
【００４６】
このように、タブの変形は正確に制御され、ワッシャー、カラーおよび管の間に、十分な締め付け接触が確立されることを可能とする。
【００４７】
図１および図３に示されているように、カラーのバンドが非締め付け状態にあるときには、上記支持タブ１２Ａ，１２Ｂの間に配置されたワッシャー２８の一部のみにフッキングタブがない。フッキングタブはワッシャー周縁の残部にわたって分布している。これらは、カラーに対してワッシャーが動く可能性を排除するように規則的な角度間隔で分布している。例えば、ワッシャーは、少なくとも３または４のタブ３２，少なくとも３または４のタブ３４、少なくとも３または４のタブ３６を備えており、これらはその周縁部にわたって分布している。この例では、４つのタブ３６、それぞれがタブ３６に隣接する６つのタブ３２、タブ３２の間に配置された複数のタブ３４が選択されている。備えられたタブ３４は、例えば全部で９個である。
【００４８】
以下に、カラーのバンドが非締め付け状態にあるときに、カラーを管の一つに固定可能とする先行取り付け手段を記述する。この例では、カラーは、管２０（より具体的にはその自由端）に固定されている。
【００４９】
図１〜図８に示されている例では、先行取り付け手段は、管２０にくっつくのに適した先行取り付けタブを含む。この例では、先行取り付けタブは上記タブ３６と同じとなるように設計されている。ただし、先行取り付けタブは、タブ３６と同様にはカラーにひっかからない他のタブであってもよい。
【００５０】
特に、予めの取り付けを可能とする手段は、後述するように、タブ３４を備えていることが極めて適している。
【００５１】
先行取り付け機能を発揮するために、先行取り付けタブは、タブから切り起こされ、タブがくっつく管の外側縁部と協働するに適した自由端を有する舌部３８を有する。この目的のため、先行取り付けタブには３側部にわたってのみ切り出された窓３９があり、窓の４つ目の側部に接続して残り、それを保持するタブに対してやや折り返した切り起こし部により舌部３８が形成される。
【００５２】
舌部３８は、その自由端がカラーの分岐１３Ｂに向かう方向において軸Ａに向かうように配置される。こうして、舌部は管２０の支持面１６に実質的に垂直となり、管の支持面上にかかる。管は外に広がる内側縁部１７がワッシャー２８の上記部分３０の外側縁部に適合するように配置される。外に広がる周縁１７は上記外側縁部と接触し、こうして図７に示した方向Ｇへはワッシャーに対してもはや進めなくなる。
【００５３】
管２０の端部がカラーに挿入されると、舌部３８は軸へと動いてやや弾性変形し、その後、表面１６上にかかり、こうして方向Ｆにカラーに対して管が動くことを防止する。
【００５４】
こうして、ワッシャー、クランプカラーおよび管２は、軸方向ＦおよびＧにおいて互いに動かなくなる。端部３６Ａがフックを形成するタブ３６がカラーの支持タブ１２Ａ，１２Ｂの近傍に適切に配置されている限り、ワッシャー２８も、締め付け前に、カラーに対する角度方向に動かない。
【００５５】
この例では、タブ３６はそれぞれ舌部３８を備えている。上述したように、これに代えて、またはこれを補うように、舌部はタブ３４に配置してもよい。
【００５６】
これとともに、舌部３８の自由端は支持面１６の最大半径よりも小さい半径の円を描き、この例では、上記最大半径は支持面１６の自由端の半径である。
【００５７】
上記タブ３２の自由端は、締め付け前におけるカラーのバンドの最小半径よりも大きい半径の円を描き、この例では、上記最小半径は端部１３’Ａの半径により定まる。ワッシャー２８がカラーの適所に配置されると、タブ３２もまた軸方向に動いて弾性変形し、その後に逆に動いてカラーの断面の分岐１３Ａの内側縁部と協働する。タブ３４およびタブ３６の中央部は端部１３’Ａにより定まる円の半径と実質的に等しい円を描く。
【００５８】
先行取り付け手段は、第１の管に対して軸方向にクランプ装置を動けなくするのみならず、周方向にもクランプ装置を動けなくすることが好ましい。このためには、少なくとも一つの先行取り付けタブは第１の管の外側縁部と協働するに適した少なくとも一つの傾斜端部を有する。
【００５９】
この例では、図３および図５により明確に示されているように、タブ３６の軸方向の端部３６Ｂは軸方向Ａに折り込まれている。例えば、各タブ３６の２つの軸方向の端部はこのように折り込まれ、その間に約６０°の角をなす領域が形成される。傾斜端部３６Ｂもまた管２０の支持面１６に接している。その傾きのために、それらは管２０に対してワッシャー２８が回転しないように作用する。舌部３８と同様に、タブ３６ではなくタブ３４に、このように折り曲げられた軸方向の端部を与える選択をすることも可能である。
【００６０】
図面、特に図６および図７に示したように、ワッシャーの表面はシーリングリングを形成する環状のビードを有する。実際には、ワッシャーは、実質的に一定の厚みを有する部品であって、連続変形と円柱または環状部の切断とにより形成される。伸長および収縮により、ワッシャーに円錐台形状が与えられる。軸断面で見ると、ワッシャー２８（その円錐台部分３０）は、符号４０により示された、上記環状ビードとなる折り曲げを有する。
【００６１】
ビード４０は、気密に管と協働するシーリングガスケットとして機能しうる。実際には、ワッシャーは、その内側縁部にわたって、管２２の端部２３と協働する役割を担うビード４０と、さらに、管２０のフレア１７と協働するために外側縁部に置かれたビード４２とを有することが好ましい。ビードは、折り込まれながら成形され、２つの軸方向端部の間におけるワッシャーの上記部分３０の内側縁部では、まず後退部が観察され（これがワッシャーの外側縁部上にビード４２を形成する）、次いでビード４０が観察される。実際のところ、ビード４０，４２は、ワッシャーにおいて軸Ａに平行であって２つの肩部により画された部分３１の端部に形成される。図８に示されるように、締め付けの間、ビード４０，４２は気密に管と協働するためにやや平坦になりうる。
【００６２】
その内側端部（直径が小さい端部）では、ワッシャーの当該部分３０は軸方向延伸部３０Ａを有する。このため、軸断面において、ワッシャーは、延伸部３０Ａが当該部分３０に出会う接合部で角を形成する。その結果、ワッシャーは堅くなる。
【００６３】
ビード４０，４２を造ることにより形成される折り込みはワッシャーを堅くすることにも寄与する。堅くすれば、ワッシャーが締め付けの際に印加される応力により曲がる傾向を制限すること、タブ３２，３４，３６がその配置に依存して伝え、場合によってはワッシャーの周囲において不均一である応力の分布を制限すること、が可能となる。
【００６４】
以下、第１の管にクランプ装置を予め取り付ける先行取り付け手段の変形例を示す図９について記述する。上記図面における例示のように、図９に示された変形例では、先行取り付け手段がワッシャーに形成されるように設計されている。図９のワッシャー１２８は、円錐台部分３０、上記ビード４０，４２、および取り付けタブを有し、取り付けタブが、バンドの内側縁部と協働するに適したタブ３２と、カラーのバンドの端部１３’Ａと協働するに適したタブ３４と、上記バンドにひっかかるに適したタブ１３６とを含んでいる点で、上記ワッシャー２８と実質的に類似している。タブ１３６は、先行取り付け舌部３８がない点で上記タブ３６とはやや相違し、場合によっては、タブ３６の折り返し端部３６Ｂを有していてもよい。いずれにしても、タブ１３６の自由端１３６Ａはタブ３６の自由端３６Ａのように折り返されてフックを形成している。図９に示した例では、先行取り付け手段は、ワッシャー１２８の軸部１３５に形成され、第１の管の内側縁部を把持するに適したグリップ面を含む。予め取り付けるためには、軸部１３５は第１の管に押し込まれて挿入される。当然、図９のグリップ面は、図１から図８を参照して記述された先行取り付け手段と併設することも可能である。
【００６５】
図９は、ワッシャー１２８の軸部１３５が、半径を局部的に増し、上記グリップ面を形成する、符号１３８により示された外側への突出変形部を有することを示す。
【００６６】
この例では、外側への突出変形部は、単に、軸部１３５の自由端から伸び、この部分の長さ全体にわたる均一な起伏により形成されている。
【図面の簡単な説明】
【００６７】
【図１】本発明のクランプ装置の正面図
【図２】クランプ装置により接続される管の端部も示す図１の側面図
【図３】本発明のクランプ装置に属するワッシャーの正面図
【図４】図３の側面図
【図５】図４の方向Ｖから見た、ワッシャーの斜視図
【図６】図３の径ＶＩで切り取った、管の一方の端部に装着されたクランプ装置の軸に沿った部分断面図
【図７】図３の径ＶＩＩで切り取った、管の一方の端部に装着されたクランプ装置の軸に沿った部分断面図
【図８】接続された２つの管の端部を締め付けるクランプ装置の軸方向断面図
【図９】本発明の別の例におけるクランプ装置のワッシャーの斜視図
【図１】
2005511991.tif 000003
【図２】
2005511991.tif 000004
【図３】
2005511991.tif 000005
【図４】
2005511991.tif 000006
【図５】
2005511991.tif 000007
【図６】
2005511991.tif 000008
【図７】
2005511991.tif 000009
【図８】
2005511991.tif 000010
【図９】
2005511991.tif 000011
【国際調査報告】
2005511991.tif 000012
2005511991.tif 000013
2005511991.tif 000014
2005511991.tif 000015
2005511991.tif 000016
2005511991.tif 000017